(57)【要約】      （修正有）【課題】利用者の手を煩わせることなく、利用者の常在領域を設定できる、施設管理システムを提供する。【解決手段】存在領域特定部１０８は、人判別部１０５が人を判別した対象の領域を、利用者情報取得部１０７が取得した利用者情報で特定される利用者の存在している領域と特定する。存在時間計測部１０９は、存在領域特定部１０８により利用者情報取得部１０７が取得した利用者情報で特定される利用者が、人判別部１０５が人を判別した対象の領域に存在しているものと特定されている時間を計測する。集計部１１０は、設定されている期間、複数の領域毎に存在時間計測部１０９が計測した存在時間を集計する。常在領域特定部１１１は、集計部１１０が集計した存在時間の合計値が最大となる領域を、利用者情報取得部１０７が取得した利用者情報で特定される利用者の常在領域と特定する。【選択図】図１
2016206700.tif 000002
【特許請求の範囲】
【請求項１】
施設内の管理区画毎に設けられて管理区画に入室する利用者の識別情報を取得する利用者識別情報取得部と、
前記利用者識別情報取得部が利用者情報を取得した対象の利用者が管理区画に入室する段階で前記利用者の空間的温度分布情報を取得する熱画像センサから構成された第１温度分布取得部と、
前記利用者識別情報取得部が利用者情報を取得した対象の利用者が前記管理区画に入室する段階で前記第１温度分布取得部が取得した前記利用者の空間的温度分布情報を、前記利用者情報に関連づけて記憶する利用者情報記憶部と、
前記管理区画内の空間を分割した複数の領域毎に設けられて前記領域における空間的温度分布情報を取得する複数の熱画像センサから構成された第２温度分布取得部と、
前記第２温度分布取得部が取得した空間温度分布情報より前記領域に存在する人を判別する人判別部と、
前記人判別部が判別した人に対応する空間温度分布情報に適合する空間温度分布情報を前記利用者情報記憶部より検索する検索部と、
前記検索部が前記利用者情報記憶部より検索した空間温度分布情報に関連づけられている利用者情報を前記利用者情報記憶部より取得する利用者情報取得部と、
前記人判別部が人を判別した対象の領域を、前記利用者情報取得部が取得した利用者情報で特定される利用者の存在している領域と特定する存在領域特定部と、
前記存在領域特定部により前記利用者情報取得部が取得した利用者情報で特定される利用者が前記人判別部が人を判別した対象の領域に存在しているものと特定されている時間を計測する存在時間計測部と、
設定されている期間、複数の前記領域毎に前記存在時間計測部が計測した存在時間を集計する集計部と、
前記集計部が集計した存在時間の合計値が最大となる領域を、前記利用者情報取得部が取得した利用者情報で特定される利用者の常在領域と特定する常在領域特定部と
を備えることを特徴とする施設管理システム。
【発明の詳細な説明】
【技術分野】
【０００１】
本発明は、施設内における利用者の常在領域を管理する施設管理システムに関する。
【背景技術】
【０００２】
複数のテナントを収用する商業施設などの大規模な建築物における施設管理においては、利用者の自席位置などの常在領域を管理する技術がある。例えば、利用者の常在領域に関する情報を利用し、この情報が示す領域に設置されている設備や機器の制御を行うシステムが開発されている（特許文献１参照）。
【先行技術文献】
【特許文献】
【０００３】
【特許文献１】特開２０１４−０８６７４４号公報
【発明の概要】
【発明が解決しようとする課題】
【０００４】
ところで、上述した利用者の常在領域を利用する技術では、利用者毎に利用者の常在領域の情報を予め設定しておく必要がある。この設定は、利用者が自ら行わなければならない場合もあり、非常に煩わしいものとなる。また、利用者の常在領域や常在区画が変更された場合、設定を変更する必要があり、面倒となる。利用者が直接設定を実施しない場合であっても、利用者からの申請は必要となり、煩わしいことには変わりない。
【０００５】
本発明は、以上のような問題点を解消するためになされたものであり、利用者の手を煩わせることなく、利用者の常在領域を設定できるようにすることを目的とする。
【課題を解決するための手段】
【０００６】
本発明に係る施設管理システムは、施設内の管理区画毎に設けられて管理区画に入室する利用者の識別情報を取得する利用者識別情報取得部と、利用者識別情報取得部が利用者情報を取得した対象の利用者が管理区画に入室する段階で利用者の空間的温度分布情報を取得する熱画像センサから構成された第１温度分布取得部と、利用者識別情報取得部が利用者情報を取得した対象の利用者が管理区画に入室する段階で第１温度分布取得部が取得した利用者の空間的温度分布情報を、利用者情報に関連づけて記憶する利用者情報記憶部と、管理区画内の空間を分割した複数の領域毎に設けられて領域における空間的温度分布情報を取得する複数の熱画像センサから構成された第２温度分布取得部と、第２温度分布取得部が取得した空間温度分布情報より領域に存在する人を判別する人判別部と、人判別部が判別した人に対応する空間温度分布情報に適合する空間温度分布情報を利用者情報記憶部より検索する検索部と、検索部が利用者情報記憶部より検索した空間温度分布情報に関連づけられている利用者情報を利用者情報記憶部より取得する利用者情報取得部と、人判別部が人を判別した対象の領域を、利用者情報取得部が取得した利用者情報で特定される利用者の存在している領域と特定する存在領域特定部と、存在領域特定部により利用者情報取得部が取得した利用者情報で特定される利用者が、人判別部が人を判別した対象の領域に存在しているものと特定されている時間を計測する存在時間計測部と、設定されている期間、複数の領域毎に存在時間計測部が計測した存在時間を集計する集計部と、集計部が集計した存在時間の合計値が最大となる領域を、利用者情報取得部が取得した利用者情報で特定される利用者の常在領域と特定する常在領域特定部とを備える。
【発明の効果】
【０００７】
以上説明したことにより、本発明によれば、利用者の手を煩わせることなく、利用者の常在領域を設定できるという優れた効果が得られる。
【図面の簡単な説明】
【０００８】
【図１】図１は、本発明の実施の形態における施設管理システムの構成を示す構成図である。
【図２】図２は、第２温度分布取得部１０４を構成する複数の熱画像センサ１４１の配置例を示す構成図である。
【図３】図３は、熱画像センサ１４１により測定された空間温度分布の１例を示す説明図である。
【図４】図４は、本発明の実施の形態における施設管理システムの動作を説明するフローチャートである。
【発明を実施するための形態】
【０００９】
以下、本発明の実施の形態について図を参照して説明する。図１は、本発明の実施の形態における施設管理システムの構成を示す構成図である。この施設管理システムは、利用者識別情報取得部１０１、第１温度分布取得部１０２、利用者情報記憶部１０３、第２温度分布取得部１０４、人判別部１０５、検索部１０６、利用者情報取得部１０７、存在領域特定部１０８、存在時間計測部１０９、集計部１１０、常在領域特定部１１１、画像取得部１１２を備える。
【００１０】
利用者識別情報取得部１０１は、施設内の管理区画１２１毎に設けられて管理区画１２１に入室する利用者の識別情報を取得する。利用者識別情報取得部１０１は、例えば、管理区画１２１の入出部の外側に設けられたカードリーダなどの照合機器と、入出部のドアの開閉を制御する開閉制御機器とを備える。利用者識別情報取得部１０１、利用者が入出部より管理区画１２１に入るときに、例えば、利用者が所持しているＩＣカードを用いたカードリーダによる照合動作で、ＩＣカードリーダに記憶されている利用者の識別情報を取得する。なお、照合動作では、取得された識別情報と、記憶されている利用者情報との一致不一致の確認などにより照合が行われ、この照合が一致すると、例えば、入口部のドアが開状態とされる。
【００１１】
第１温度分布取得部１０２は、利用者識別情報取得部１０１が利用者情報を取得した対象の利用者が管理区画１２１に入室する段階で利用者の空間的温度分布情報を取得する熱画像センサから構成されている。上述した利用者識別情報取得部１０１による識別情報の取得（照合）動作中に、第１温度分布取得部１０２は、対象となる利用者の空間温度分布（熱画像）を測定する。熱画像センサは、例えば、２次元に配列された複数のサーモパイルから構成されたサーモパイルアレイセンサである。サーモパイルは、熱電対より構成された熱電変換素子（赤外線センサ）である。
【００１２】
利用者情報記憶部１０３は、上述したように、利用者識別情報取得部１０１が利用者情報を取得した対象の利用者が管理区画１２１に入室する段階で第１温度分布取得部１０２が取得した利用者の空間的温度分布情報を、利用者情報に関連づけて記憶する。
【００１３】
第２温度分布取得部１０４は、管理区画１２１内の空間を分割した複数の領域毎に設けられて領域における空間的温度分布情報を取得する複数の熱画像センサ１４１から構成されている。熱画像センサ１４１は、図２に例示するように、管理区画１２１の天井などに、均等に分割した領域２０１毎に配置されている。図２の例では、４行６列に、２４個の熱画像センサ１４１が配列されている。熱画像センサ１４１固有の検出範囲に基づいて、各領域２０１の間隔が決定されている。このようにすることで、管理区画１２１内の各領域２０１の下方空間における、３次元的な温度分布（空間的温度分布）を測定することができる。熱画像センサ１４１は、第１温度分布取得部１０２を構成する熱画像センサと同様であり、２次元に配列された複数のサーモパイルから構成されたサーモパイルアレイセンサである。
【００１４】
人判別部１０５は、第２温度分布取得部１０４が取得した空間温度分布情報より領域に存在する人を判別する。第２温度分布取得部１０４を構成する各熱画像センサ１４１が測定した空間温度分布は、画像取得部１１２により収集され、空間的温度分布情報として人判別部１０５に転送される。
【００１５】
例えば、図３に示すように、熱画像センサ１４１を用いた様々な人間を対象とした測定によって得られた様々な空間的温度分布のパターンをもとに、人を示す空間温度分布の状態を特定して基準パターンとして予め用意しておく。図３において、より高温の領域を示す白に近い部分が、人の空間的温度分布のパターンである。この基準パターンと所定の範囲で近似している空間的温度分布のパターンが得られた場合、この空間温度分布が測定された熱画像センサ１４１の配置されている領域２０１に、人が存在していることを判別する。
【００１６】
検索部１０６は、人判別部１０５が判別した人に対応する空間温度分布情報に適合する空間温度分布情報を利用者情報記憶部１０３より検索する。上述したように、いずれかの熱画像センサ１４１で測定されて人判別部１０５で人として判別された空間温度分布情報と、利用者情報記憶部１０３に、利用者情報に関連づけられて記憶されている空間温度分布情報とを比較し、所定の条件下で適合する空間温度分布情報を、検索部１０６は検索する。
【００１７】
利用者情報取得部１０７は、検索部１０６が利用者情報記憶部１０３より検索した空間温度分布情報に関連づけられている利用者情報を利用者情報記憶部１０３より取得する。
【００１８】
存在領域特定部１０８は、人判別部１０５が人を判別した対象の領域を、利用者情報取得部１０７が取得した利用者情報で特定される利用者の存在している領域と特定する。
【００１９】
存在時間計測部１０９は、存在領域特定部１０８により利用者情報取得部１０７が取得した利用者情報で特定される利用者が、人判別部１０５が人を判別した対象の領域２０１に存在しているものと特定されている時間を計測する。
【００２０】
集計部１１０は、設定されている期間、複数の領域毎に存在時間計測部１０９が計測した存在時間を集計する。常在領域特定部１１１は、集計部１１０が集計した存在時間の合計値が最大となる領域を、利用者情報取得部１０７が取得した利用者情報で特定される利用者の常在領域と特定する。
【００２１】
次に、本発明の実施の形態における施設管理システムの動作例について図４のフローチャートを用いて説明する。まず、ステップＳ４０１で、利用者識別情報取得部１０１は、施設内の管理区画１２１毎に設けられて管理区画１２１に入室する利用者の識別情報を取得する。例えば、よく知られた入室管理のシステムにより、入室者の照合動作が実施されているときに、利用者の識別情報を取得することができる。
【００２２】
次に、ステップＳ４０２で、第１温度分布取得部１０２が、利用者識別情報取得部１０１により利用者情報が取得された利用者が管理区画１２１に入室する段階で利用者の空間的温度分布情報を取得する。次に、ステップＳ４０３で、利用者情報記憶部１０３が、取得された空間的温度分布情報を、ステップＳ４０１で取得している利用者情報に関連づけて記憶する。
【００２３】
例えば、利用者Ａ、利用者Ｂ、利用者Ｃが、管理区画１２１に入室すると、利用者識別情報取得部１０１により、利用者Ａ、利用者Ｂ、利用者Ｃの識別情報が取得される。また、第１温度分布取得部１０２により、利用者Ａの空間温度分布情報Ａが取得され、利用者Ｂの空間温度分布情報Ｂが取得され、利用者Ｃの空間温度分布情報Ｃが取得される。
【００２４】
次に、ステップＳ４０４で、第２温度分布取得部１０４が、管理区画１２１内の空間を分割した複数の領域２０１毎に設けられた熱画像センサ１４１により、各領域２０１における空間的温度分布情報を取得する。次に、ステップＳ４０５で、人判別部１０５が、第２温度分布取得部１０４により取得された、各管理区画１２１における空間温度分布情報より領域に存在する人を判別する。次いで、ステップＳ４０６で、人判別部１０５は、得られた空間的温度分布情報に、人の存在を判定する。
【００２５】
前述したように、管理区画１２１には、利用者Ａ、利用者Ｂ、利用者Ｃが在室しているので、第２温度分布取得部１０４を構成しているいずれかの熱画像センサ１４１により、利用者Ａの空間温度分布情報が取得され、他のいずれかの熱画像センサ１４１により利用者Ｂの空間温度分布情報が取得され、また他のいずれかの熱画像センサ１４１により利用者Ｃの空間温度分布情報が取得される。また、人判別部１０３により、取得された各空間温度分布情報が、人であるものと判断される。
【００２６】
この判定で、人が存在するものとされた場合（ステップＳ４０６のｙ）、ステップＳ４０７で、検索部１０６が、いずれかの熱画像センサ１４１で測定されて人判別部１０５で人として判別された空間温度分布情報と、利用者情報記憶部１０３に利用者情報に関連づけられて記憶されている空間温度分布情報とを比較し、所定の条件下で適合する空間温度分布情報を検索する。
【００２７】
次いで、ステップＳ４０８で、検索部１０６が、適合する空間温度分布情報を見つけ出すと（ステップＳ４０８のｙ）、ステップＳ４０９で、利用者情報取得部１０７が、適合した空間温度分布情報に関連づけられている利用者情報を利用者情報記憶部１０３より取得する。また、ステップＳ４１０で、存在領域特定部１０８が、人判別部１０５が人を判別した対象の領域２０１を、利用者情報取得部１０７が取得した利用者情報で特定される利用者の存在している領域と特定する。
【００２８】
例えば、第２温度分布取得部１０４により空間温度分布情報が取得され、人判別部１０３により人であると判断された利用者Ａの空間温度分布情報に対しては、検索部１０６により、適合している空間温度分布情報Ａが検索され、利用者Ａの利用者情報が、利用者情報記憶部１０３より取得される。また、利用者Ａの空間温度分布情報を取得した熱画像センサ１４１の配置されている領域２０１が、利用者Ａの存在している領域とされる。
【００２９】
同様に、利用者Ｂの空間温度分布情報に対しては、検索部１０６により、適合している空間温度分布情報Ｂが検索され、利用者Ｂの利用者情報が、利用者情報記憶部１０３より取得される。また、利用者Ｂの空間温度分布情報を取得した熱画像センサ１４１の配置されている領域２０１が、利用者Ｂの存在している領域とされる。また、利用者Ｃの空間温度分布情報に対しては、検索部１０６により、適合している空間温度分布情報Ｃが検索され、利用者Ｃの利用者情報が、利用者情報記憶部１０３より取得される。また、利用者Ｃの空間温度分布情報を取得した熱画像センサ１４１の配置されている領域２０１が、利用者Ｃの存在している領域とされる。
【００３０】
次に、ステップＳ４１１で、存在時間計測部１０９が、存在領域特定部１０８により利用者情報取得部１０７が取得した利用者情報で特定される利用者が、人判別部１０５が人を判別した対象の領域に存在しているものと特定されている時間を計測する。上述した例では、利用者Ａ、利用者Ｂ、利用者Ｃの各々に対し、上記時間の計測が実施される。
【００３１】
次に、ステップＳ４１２で、集計部１１０が、複数の領域毎に存在時間計測部１０９が計測した存在時間を集計する。次に、ステップＳ４１３で、集計部１１０は、設定されている期間が経過したことを判断する。この判断で、設定されている期間が経過していない場合（ステップＳ４１３のｎ）、ステップＳ４０４〜ステップＳ４１２を繰り返す。
【００３２】
上記判断で、設定されている期間が経過すると（ステップＳ４１３のｙ）、ステップＳ４１４で、常在領域特定部１１１が、集計部１１０が集計した存在時間の合計値が最大となる領域を、利用者情報取得部１０７が取得した利用者情報で特定される利用者の常在領域と特定（決定）する。
【００３３】
ここで、ステップＳ４１３における期間経過の判断における期間の開始時点は、ステップＳ４０１における利用者の識別情報取得時点としてもよく、また、識別情報が取得され後において、設定されている時間が経過した後としても良い。また、期間が長いほど、より正確に利用者の常在領域が特定できる。しかしながら、期間が長すぎると、(例えば、１か月など）、異動などにより利用者の自席が変更されるなど、利用者の常在領域が変更される場合がある。この場合、利用者の常在領域が正確に特定できなくなる。これらのことを勘案すると、上記期間は、対象とする施設の運用形態に対応させて適宜に設定するとよい。例えば、上記期間は、５日〜７日程度が望ましいものと考えられる。
【００３４】
以上に説明したように、本発明によれば、第１温度分布取得部で取得した空間的温度分布情報により特定した利用者の存在している領域を、第２温度分布取得部で取得した空間温度分布情報より特定するようにしたので、利用者の手を煩わせることなく、利用者の常在領域を設定できるようになる。
【００３５】
このように、設定（特定）した利用者の常在領域の情報は、空調機器や照明機器の制御に用いることができる。例えば、利用者の特徴を表す特性情報や嗜好情報が、利用者識別情報と共に記憶されていれば、対象とする利用者が、利用者の常在領域に存在している場合、当該領域の照明状態を、利用者の思考などに適合させて制御することができる。例えば、当該利用者は、より明るい状態が好みであれば、これに合わせて当該領域をより明るくする制御が可能となる。同様に、対象とする利用者が、利用者の常在領域に存在している場合、当該領域に空調制御状態を、利用者の思考などに適合させることができる。例えば、当該利用者は、寒がりであれば、これに合わせて当該領域をより暖かくする空調制御が可能となる。
【００３６】
なお、本発明は以上に説明した実施の形態に限定されるものではなく、本発明の技術的思想内で、当分野において通常の知識を有する者により、多くの変形および組み合わせが実施可能であることは明白である。
【符号の説明】
【００３７】
１０１…利用者識別情報取得部、１０２…第１温度分布取得部、１０３…利用者情報記憶部、１０４…第２温度分布取得部、１０５…人判別部、１０６…検索部、１０７…利用者情報取得部、１０８…存在領域特定部、１０９…存在時間計測部、１１０…集計部、１１１…常在領域特定部、１１２…画像取得部、１２１…管理区画、１４１…熱画像センサ。
【図１】
2016206700.tif 000003
【図２】
2016206700.tif 000004
【図４】
2016206700.tif 000005
【図３】
2016206700.tif 000006